(57)【特許請求の範囲】
【請求項１】
放送局から放送波を介して放送されたコンテンツについての詳細情報を提供するコンテンツ詳細情報提供システムにおいて、
所定の詳細情報取得操作に応じて、上記詳細情報の提供を求める詳細情報取得要求を、基地局を介して送信する携帯通信端末と、
上記放送局から放送された上記コンテンツの上記詳細情報を記憶する詳細情報記憶手段と、上記詳細情報取得要求を上記基地局を介して受信する取得要求受信手段と、上記取得要求受信手段が上記詳細情報取得要求を受信した日時を示す受信日時情報、及び上記基地局の位置を示す位置情報に基づいて、当該詳細情報取得要求を受信した時点で放送されていた上記コンテンツについての上記詳細情報を上記詳細情報記憶手段から検索する詳細情報検索手段と、上記検索した上記詳細情報を上記携帯通信端末に送信する詳細情報送信手段とを有する詳細情報提供装置と
を具え、
上記携帯通信端末は、上記詳細情報取得要求を送信できなかったとき、上記詳細情報取得操作が行われた日時を示す操作日時情報を記憶し、上記詳細情報取得要求が送信できるようになったとき、上記操作日時情報を上記詳細情報取得要求とともに送信し、
上記詳細情報検索手段は、上記受信日時情報に代えて上記操作日時情報を用いて上記詳細情報を検索する
コンテンツ詳細情報提供システム。
【請求項２】
上記コンテンツ詳細情報記憶手段は、複数の上記放送局についての上記コンテンツ詳細情報を記憶し、
上記詳細情報検索手段は、上記基地局の位置を示す位置情報に基づいて、当該基地局のサービスエリア内で受信し得る上記放送局を限定し、当該限定した当該放送局についての上記詳細情報を上記詳細情報記憶手段から検索する
請求項１に記載のコンテンツ詳細情報提供システム。
【請求項３】
上記携帯通信端末は、上記放送波を受信する放送受信手段を有し、上記詳細情報取得操作が行われた時に受信していた上記放送波の周波数を示す周波数情報を、上記詳細情報取得要求とともに送信し、
上記詳細情報検索手段は、上記位置情報及び上記周波数情報に基づいて上記携帯通信端末が受信していた上記放送局を限定し、上記限定した放送局についての上記詳細情報を上記詳細情報記憶手段から検索する
請求項２に記載のコンテンツ詳細情報提供システム。
【請求項４】
上記詳細情報送信手段は、上記詳細情報を電子メール形式で上記携帯通信端末に送信する
請求項１に記載のコンテンツ詳細情報提供システム。
【請求項５】
上記詳細情報送信手段は、上記詳細情報とともに、当該詳細情報で示される上記コンテンツの試聴用データを上記携帯通信端末に送信する
請求項１に記載のコンテンツ詳細情報提供システム。
【請求項６】
上記詳細情報送信手段は、上記携帯通信端末から送信されるコンテンツ送信要求に応じて、上記詳細情報で示される上記コンテンツを上記携帯通信端末に送信する
請求項１に記載のコンテンツ詳細情報提供システム。
【請求項７】
上記詳細情報送信手段は、上記携帯通信端末から送信されるコンテンツ送信要求に応じて、上記詳細情報で示される上記コンテンツを上記携帯通信端末によって指定された情報処理装置に送信する
請求項１に記載のコンテンツ詳細情報提供システム。
【請求項８】
放送局から放送波を介して放送されたコンテンツについての詳細情報を携帯通信端末へ提供する詳細情報提供装置において、
上記放送局から放送された上記コンテンツの上記詳細情報を記憶する詳細情報記憶手段と、
所定の詳細情報取得操作に応じて上記携帯通信端末から送信された、上記詳細情報の提供を求める詳細情報取得要求を、基地局を介して受信する取得要求受信手段と、
上記取得要求受信手段が上記詳細情報取得要求を受信した日時を示す受信日時情報、及び上記基地局の位置を示す位置情報に基づいて、当該詳細情報取得要求を受信した時点で放送されていた上記コンテンツについての上記詳細情報を上記詳細情報記憶手段から検索する詳細情報検索手段と、
上記検索した上記詳細情報を上記携帯通信端末に送信する詳細情報送信手段とを具え、
上記取得要求受信手段が受信した上記詳細情報取得要求に操作日時情報が含まれているとき、上記詳細情報検索手段は、当該操作日時情報が示す時点で放送されていた上記コンテンツについての上記詳細情報を上記詳細情報記憶手段から検索する
詳細情報提供装置。
【請求項９】
上記コンテンツ詳細情報記憶手段は、複数の上記放送局についての上記コンテンツ詳細情報を記憶し、
上記詳細情報検索手段は、上記基地局の位置を示す位置情報に基づいて、当該基地局のサービスエリア内で受信し得る上記放送局を限定し、当該限定した上記放送局についての上記詳細情報を上記詳細情報記憶手段から検索する
請求項８に記載の詳細情報提供装置。
【請求項１０】
上記取得要求受信手段は、上記放送波を受信する放送受信手段を有する上記携帯通信端末から送信された、上記詳細情報取得操作が行われた時に受信していた上記放送波の周波数を示す周波数情報を、上記詳細情報取得要求とともに受信し、
上記詳細情報検索手段は、上記位置情報及び上記周波数情報に基づいて上記携帯通信端末が受信していた上記放送局を限定し、上記限定した放送局についての上記詳細情報を上記詳細情報記憶手段から検索する
請求項９に記載の詳細情報提供装置。
【請求項１１】
所定の詳細情報取得操作に応じて、放送されたコンテンツについての詳細情報の提供を求める詳細情報取得要求を詳細情報提供装置に送信する送信手段と、
上記詳細情報提供装置から送信される、当該詳細情報提供装置が上記詳細情報取得要求を受信した時点で放送されていた上記コンテンツについての上記詳細情報を受信する受信手段と
を具え、
上記送信手段は、上記詳細情報取得操作を送信できなかったとき、上記詳細情報取得操作が行われた日時を示す操作日時情報と放送局情報とを記憶し、上記詳細情報取得要求が送信できるようになったとき、上記操作日時情報と上記放送局情報とを上記詳細情報取得要求とともに送信し、
上記受信手段は、上記詳細情報提供装置から送信される、当該詳細情報提供装置が上記操作日時情報の示す時点で上記放送局情報が示す放送局で放送されていた上記コンテンツについての上記詳細情報を受信する
携帯通信端末。
【請求項１２】
上記放送波を受信する放送受信手段を具え、
上記送信手段は、上記詳細情報取得操作が行われた時に受信していた上記放送波の周波数を示す周波数情報を、上記放送局情報として上記詳細情報取得要求とともに送信する
請求項１１に記載の携帯通信端末。
【請求項１３】
放送局から放送波を介して放送されたコンテンツについての詳細情報を携帯通信端末へ提供する詳細情報提供装置の詳細情報提供方法において、
上記放送局から放送された上記コンテンツの上記詳細情報を詳細情報記憶手段に記憶する詳細情報記憶ステップと、
所定の詳細情報取得操作に応じて上記携帯通信端末から送信された、上記詳細情報の提供を求める詳細情報取得要求を、基地局を介して受信する取得要求受信ステップと、
上記詳細情報取得要求を受信した日時を示す受信日時情報、及び上記基地局の位置を示す位置情報に基づいて、当該詳細情報取得要求を受信した時点で放送されていた上記コンテンツについての上記詳細情報を上記詳細情報記憶手段から検索する詳細情報検索ステップと、
上記検索した上記詳細情報を上記携帯通信端末に送信する詳細情報送信ステップとを具える
上記取得要求受信ステップが受信した上記詳細情報取得要求に操作日時情報が含まれているとき、上記詳細情報検索ステップは、当該操作日時情報が示す時点で放送されていた上記コンテンツについての上記詳細情報を上記詳細情報記憶手段から検索する
詳細情報提供装置の詳細情報提供方法。
【請求項１４】
上記コンテンツ詳細情報記憶ステップは、複数の上記放送局についての上記コンテンツ詳細情報を上記詳細情報記憶手段に記憶し、
上記詳細情報検索ステップは、上記基地局の位置を示す位置情報に基づいて、当該基地局のサービスエリア内で受信し得る上記放送局を限定し、当該限定した上記放送局についての上記詳細情報を上記詳細情報記憶手段から検索する
請求項１３に記載の詳細情報提供装置の詳細情報提供方法。
【請求項１５】
上記取得要求受信ステップは、上記放送波を受信する放送受信手段を有する上記携帯通信端末から送信された、上記詳細情報取得操作が行われた時に受信していた上記放送波の周波数を示す周波数情報を、上記詳細情報取得要求とともに受信し、
上記詳細情報検索ステップは、上記位置情報及び上記周波数情報に基づいて上記携帯通信端末が受信していた上記放送局を限定し、上記限定した放送局についての上記詳細情報を上記詳細情報記憶手段から検索する
請求項１４に記載の詳細情報提供装置の詳細情報提供方法。
【請求項１６】
所定の詳細情報取得操作に応じて、放送されたコンテンツについての詳細情報の提供を求める詳細情報取得要求を詳細情報提供装置に送信する送信ステップと、
上記詳細情報提供装置から送信される、当該詳細情報提供装置が上記詳細情報取得要求を受信した時点で放送されていた上記コンテンツについての上記詳細情報を受信する受信ステップとを具え、
上記送信ステップは、上記詳細情報取得操作を送信できなかったとき、上記詳細情報取得操作が行われた日時を示す操作日時情報と放送局情報を記憶し、上記詳細情報取得要求が送信できるようになったとき、上記操作日時情報と上記放送局情報とを上記詳細情報取得要求とともに送信し、
上記受信ステップは、上記詳細情報提供装置から送信される、当該詳細情報提供装置が上記操作日時情報の示す時点で上記放送局情報が示す放送局で放送されていた上記コンテンツについての上記詳細情報を受信する
携帯通信端末の詳細情報取得方法。
【請求項１７】
上記送信ステップは、上記詳細情報取得操作が行われた時に受信していた上記放送波の周波数を示す周波数情報を、上記放送局情報として上記詳細情報取得要求とともに送信する
請求項１６に記載の携帯通信端末の詳細情報取得方法。
【発明の詳細な説明】
【０００１】
【発明の属する技術分野】
本発明はコンテンツ詳細情報提供システム、詳細情報提供装置、携帯通信端末、詳細情報提供装置の詳細情報提供方法及び携帯通信端末の詳細情報取得方法に関し、例えばネットワークを介してユーザからの要求に応じて楽曲の曲名情報の提供を行う放送詳細情報提供システムに適用して好適なものである。
【０００２】
【従来の技術】
現在、ラジオ放送局から放送中の楽曲の曲名情報を知りたい場合に、ユーザの所定操作により日時情報記憶端末に日時情報を記憶し、当該日時情報に基づいてその時に放送されていた楽曲の曲名情報を検索することができる放送詳細情報提供システムが考えられている。
【０００３】
【発明が解決しようとする課題】
ところでかかる構成の放送詳細情報提供システムにおいては、ユーザが所望する曲名情報を検索する場合、日時情報記憶端末をコンピュータ装置に接続し、当該コンピュータ装置からネットワークを介して放送詳細情報提供サーバへ取得した日時情報を送信する必要があり、所望する曲名情報を検索するには煩雑な操作が必要であり、また即座に検索することができないという問題があった。
【０００４】
本発明は以上の点を考慮してなされたもので、所望する曲名情報を簡易な操作によって即座に検索し得るコンテンツ詳細情報提供システム、詳細情報提供装置、携帯通信端末、詳細情報提供装置の詳細情報提供方法及び携帯通信端末の詳細情報取得方法を提案しようとするものである。
【０００５】
【課題を解決するための手段】
かかる課題を解決するため本願発明のコンテンツ詳細情報提供システムにおいては、放送局から放送波を介して放送されたコンテンツについての詳細情報を提供するコンテンツ詳細情報提供システムにおいて、所定の詳細情報取得操作に応じて、詳細情報の提供を求める詳細情報取得要求を、基地局を介して送信する携帯通信端末と、放送局から放送されたコンテンツの詳細情報を記憶する詳細情報記憶手段と、詳細情報取得要求を基地局を介して受信する取得要求受信手段と、取得要求受信手段が詳細情報取得要求を受信した日時を示す受信日時情報、及び基地局の位置を示す位置情報に基づいて、当該詳細情報取得要求を受信した時点で放送されていたコンテンツについての詳細情報を詳細情報記憶手段から検索する詳細情報検索手段と、検索した詳細情報を携帯通信端末に送信する詳細情報送信手段とを有する詳細情報提供装置とを具え、携帯通信端末は、詳細情報取得要求を送信できなかったとき、詳細情報取得操作が行われた日時を示す操作日時情報を記憶し、詳細情報取得要求が送信できるようになったとき、操作日時情報を詳細情報取得要求とともに送信し、詳細情報検索手段は、受信日時情報に代えて操作日時情報を用いて詳細情報を検索するようにした。
また、本願発明の詳細情報提供装置においては、放送局から放送波を介して放送されたコンテンツについての詳細情報を携帯通信端末へ提供する詳細情報提供装置において、放送局から放送されたコンテンツの詳細情報を記憶する詳細情報記憶手段と、所定の詳細情報取得操作に応じて携帯通信端末から送信された、詳細情報の提供を求める詳細情報取得要求を、基地局を介して受信する取得要求受信手段と、取得要求受信手段が詳細情報取得要求を受信した日時を示す受信日時情報、及び基地局の位置を示す位置情報に基づいて、当該詳細情報取得要求を受信した時点で放送されていたコンテンツについての詳細情報を詳細情報記憶手段から検索する詳細情報検索手段と、検索した詳細情報を携帯通信端末に送信する詳細情報送信手段とを具え、取得要求受信手段が受信した詳細情報取得要求に操作日時情報が含まれているとき、詳細情報検索手段は、当該操作日時情報が示す時点で放送されていたコンテンツについての詳細情報を詳細情報記憶手段から検索するようにした。
また、本願発明の携帯通信端末においては、所定の詳細情報取得操作に応じて、放送されたコンテンツについての詳細情報の提供を求める詳細情報取得要求を詳細情報提供装置に送信する送信手段と、詳細情報提供装置から送信される、当該詳細情報提供装置が詳細情報取得要求を受信した時点で放送されていたコンテンツについての詳細情報を受信する受信手段とを具え、送信手段は、詳細情報取得操作を送信できなかったとき、詳細情報取得操作が行われた日時を示す操作日時情報と放送局情報とを記憶し、詳細情報取得要求が送信できるようになったとき、操作日時情報と放送局情報とを詳細情報取得要求とともに送信し、受信手段は、詳細情報提供装置から送信される、当該詳細情報提供装置が操作日時情報の示す時点で放送局情報が示す放送局で放送されていたコンテンツについての詳細情報を受信するようにした。
【０００６】
この結果、本願発明のコンテンツ詳細情報提供システムでは携帯通信端末において、通信が確保されず送信できないときでも、通信が可能になった後、詳細情報取得操作が行われた時点の操作日時情報を送信することによってコンテンツの詳細情報を確実に検索することができる。
また、本願発明の詳細情報提供装置では、詳細情報提供装置は携帯端末から操作日時情報を受信するだけで操作日時情報が示す時点で放送されていたコンテンツについての詳細情報を携帯端末に提供することができる。
さらに本願発明の携帯通信端末では、携帯通信端末は通信が確保されず送信できないときでも、通信が可能になった後、詳細情報取得操作が行われた時点の操作日時情報を送信することによって、操作日時情報を送信するだけで操作日時情報が示す時点で放送されていたコンテンツについての詳細情報を受信することができる。
【０００７】
【発明の実施の形態】
以下図面について、本発明の一実施の形態を詳述する。
【０００８】
（１）第１の実施の形態
（１−１）放送詳細情報提供システムの全体構成
図１において、１は第１の実施の形態の放送詳細情報提供システムを示し、大きく分けて、複数のラジオ放送局４により放送される楽曲の曲名情報の提供を行う放送詳細情報提供側１Ａの基地局２、放送詳細情報提供サーバ３及びラジオ放送局４と、放送詳細情報受信側１Ｂのラジオ付携帯電話機５とによって構成されている。
【０００９】
このコンテンツ詳細情報提供システムとしての放送詳細情報提供システム１は、放送詳細情報提供サーバ３にインターネット等のネットワーク６を介して固定無線局である複数の基地局２が接続され、いずれかの基地局２と移動局であるラジオ付携帯電話機５とが無線接続されることにより、放送詳細情報提供サーバ３とラジオ付携帯電話機５との間で種々のデータ通信を行い得るようになされている。
【００１０】
実際上、基地局２とラジオ付携帯電話機５とは例えばＷ−ＣＤＭＡ(Wideband-Code Division Multiple Access)と呼ばれる符号分割多元接続方式によって無線接続されるように構成されており、これにより、ラジオ付携帯電話機５と放送詳細情報提供サーバ３との間で基地局２及びネットワーク６を順次介して例えばＴＣＰ／ＩＰ(Transmission Control Protocol/Internet Protocol) プロトコルでデータ通信し得るようになされている。
【００１１】
かかる構成に加えてラジオ付携帯電話機５は、ラジオ放送局４から放送されている放送波を受信し、後述するスピーカ等を介して再生し得るようになされている。
【００１２】
また各ラジオ放送局４は、放送詳細情報提供サーバ３にネットワーク６を介して接続され、放送している楽曲の曲名等の種々の情報を当該放送詳細情報提供サーバ３に供給するようになされている。
【００１３】
（１−２）ラジオ付携帯電話機の構成
図２に示すように、ラジオ付携帯電話機５においては、第１の筐体（以下、これを下側筐体と呼ぶ）１０と第２の筐体（以下、これを上側筐体と呼ぶ）１１とがヒンジ部１２を介して折り畳み可能に形成されている。
【００１４】
上側筐体１１の正面の上端中央部には、スピーカ１３が設けられており、当該スピーカ１３を介して通話中の相手の音声等を出力するようになされている。
【００１５】
また、上側筐体１１の正面には、スピーカ１３の下側に液晶ディスプレイ１４が設けられており、当該液晶ディスプレイ１４に電波の受信状態、電池残量、電話帳として登録している相手先の名前や電話番号、発信履歴等の他、アドレス帳として登録している電子メールの送付先の名前やメールアドレス、電子メールの内容、簡易ホームページ、ウェブページ等を表示するようになされている。
【００１６】
さらに、上側筐体１１の右側面上部には、着脱自在なメモリスティック（ソニー（株）商標）１５を挿着するためのメモリスティックスロット１６が設けられている。
【００１７】
因みにメモリスティック１５は、本願出願人であるソニー株式会社によって開発されたフラッシュメモリカードの一種で、小型薄型のプラスティックケース内に電気的に書換えや消去可能な不揮発メモリであるＥＥＰＲＯＭ(ElectricallyErasable Programmable Read Only Memory) でなるフラッシュメモリ素子を格納したものであり、１０ピン端子を介して画像や音声、音楽等の各種データの書き込み及び読み出しが可能となっている。
【００１８】
そして上側筐体１１の左側面にはイヤホンジャック（図示せず）が設けられており、当該イヤホンジャックにイヤホン（図示せず）の抜差可能なイヤホンプラグ（図示せず）が差し込まれれば、メモリスティック１５から再生した音楽等をイヤホンを介して出力し得るようになされている。
【００１９】
さらにかかる構成に加えて上面筐体１１の背面内側には、ラジオ受信用アンテナ（図示せず）が内蔵されており、ラジオ放送局４（図１）から放送されている放送波を受信し、これをスピーカ１３やイヤホンを介して出力し得るようになされている。
【００２０】
一方、下側筐体１０の正面には、「０」〜「９」の数字キー、発呼キー、リダイヤルキー、終話及び電源キー、クリアキー、電子メールキー、メモキー等の各種操作キーからなる操作部１７が設けられており、これら操作キーを介して各種命令を入力し得るようになされている。
【００２１】
因みに、下側筐体１０の正面には、操作キーとして回動操作及び押圧操作自在な回転操作子（以下、これをジョグダイヤルと呼ぶ）１８が下側筐体１０の表面から僅かに突出するように設けられており、当該ジョグダイヤル１８の回転操作に応じて、液晶ディスプレイ１４に表示している電話帳やメールアドレスのリスト、電子メールの内容等のスクロール動作、簡易ホームページやウェブページの捲り動作等を実行すると共に、そのジョグダイヤル１８の押圧操作に応じて電話帳やメールアドレスのリストから所望の電話番号やメールアドレスを選択指定させ得るようになされている。
【００２２】
また、下側筐体１０の正面には、操作部１７の下側にマイクロホン１９が設けられており、当該マイクロホン１９によって通話時のユーザの音声を集音するようになされている。
【００２３】
さらに、下側筐体１０の背面には、ヒンジ部１２近傍の上側右端部に基地局２（図１）と送受信するためのアンテナ２０が引き出し及び収納可能な状態に設けられており、当該本体アンテナ２０を介してその基地局２との間で通話用の音声信号や電子メール、簡易ホームページ、ウェブページ及び音楽データ等を送受信し得るようになされている。
【００２４】
因みに、下側筐体１０の背面には着脱可能なバッテリパック（図示せず）が装着されており、操作部１７の操作に応じて電源がオン状態になると当該バッテリパックから内部の各回路に対して電力を供給して動作可能な状態に起動するようになされている。
【００２５】
実際上、図３に示すように、ラジオ付携帯電話機５においては、当該ラジオ付携帯電話機５の各種機能を統括的に制御するＣＰＵ（Central Processing Unit）３０に制御バス３１を介して無線通信回路３２、表示制御部３３、操作部１７、ＲＯＭ（Read Only Memory）３４、ＲＡＭ（Random Access Memory）３５、切換スイッチ３６、記録再生制御部３７が接続されている。
【００２６】
また、無線通信回路３２、表示制御部３３、ＲＯＭ３４、ＲＡＭ３５、切換スイッチ３６、通信制御部３７はデータバス３８を介して互いに接続されている。
【００２７】
この場合、ＣＰＵ３０は操作部１７を介して入力される各種命令に応じて、ＲＯＭ３４に予め格納されている各種プログラムを読み出してＲＡＭ３５上で展開することにより、これら各種プログラムに従ってラジオ付携帯電話機５全体を制御するとともに、各種プログラムの実行結果を適宜、表示制御部３３を介して液晶ディスプレイ１４に送出して表示することによりユーザに通知する。
【００２８】
そして、ＣＰＵ３０は、音声通話時、マイクロホン１９を介してユーザの音声を集音した音声信号を切換スイッチ３６及びデータバス３８を順次介して無線通信回路３２に取り込み、当該無線通信回路３２においてその音声信号に所定の送信処理を施すことにより得られた送信信号をアンテナ２０を介して基地局２（図１）に送信する。
【００２９】
このとき、ＣＰＵ３０は、基地局２から送信された相手の受信信号をアンテナ２０により受信すると、これを無線通信回路３２に取り込み、当該無線通信回路３２においてその受信信号に所定の受信処理を施し、得られた音声信号をデータバス３８及び切換スイッチ３６を順次介してスピーカ１３へ送出することにより、当該スピーカ１３から相手の音声を出力する。このようにして、ＣＰＵ３０はユーザと相手との音声通話を実現し得るようになされている。
【００３０】
また、ＣＰＵ３０は、ディジタル音楽コンテンツを記憶するメモリスティック１５がメモリスティックスロット１６に挿着された後、所定の操作により音楽再生命令が供給されると、当該音楽信号として記録再生制御部３７及び切換スイッチ３６を順次介してスピーカ１３へ送出することにより、当該スピーカ１３から音楽を出力する。
【００３１】
さらに、ＣＰＵ３０は、ラジオ放送局４から放送されている放送波をラジオ受信用アンテナ４３によって受信すると、これをラジオ受信用通信回路４４に取り込み、当該ラジオ受信用通信回路４４において放送波に所定の復調処理を施し、これをデータバス３８及び切換スイッチ３６を順次介してスピーカ１３へ送出することにより  ラジオ放送局４により放送されている楽曲等を当該スピーカ１３から出力する。
【００３２】
因みに、ＣＰＵ３０は、リモコン付イヤホン４２のイヤホンプラグ３９がイヤホンジャック４５に差し込まれると、切換スイッチ３６を制御することによりスピーカ１３に代えてイヤホン４０をデータバス３８に電気的に接続するとともに、そのリモコン４１の操作に応じて当該リモコン付イヤホン４２から与えられる各種命令に従って、音声通信やラジオ放送の受信等の処理を実行する。
【００３３】
ここでＣＰＵ３０は、ラジオ放送の受信時において、放送中の楽曲についての情報を取得するためのリクエストキー（図示せず）の押下に応じたリクエスト命令が与えられると、当該押下された日時を図示しないＲＴＣ回路から取得し、これを日時情報としてＲＡＭ３５内に記憶するとともに、この時受信中のラジオ放送局４の周波数を放送局情報としてＲＡＭ３５内に記憶する。
【００３４】
またＣＰＵ３０は、詳細情報取得要求としてのリクエスト命令に応じて、位置情報取得要求をアンテナ２０を介して基地局２へ送信する。
【００３５】
そしてＣＰＵ３０は、位置情報取得要求に応じて基地局２から送信される位置情報を受信すると、当該位置情報、日時情報及び放送局情報からなる情報検索要求を電子メール形式で放送詳細情報提供サーバ３へ送信する。
【００３６】
（１−３）第１の実施の形態における基地局の構成
図４に示すように基地局２においては、図示しないＣＰＵ、ＲＯＭ及びＲＡＭ等からなるマイクロコンピュータ構成の制御部５０を有し、当該制御部５０がＲＯＭに予め格納している基本プログラム及びアプリケーションプログラムをＲＡＭにロードして立ち上げることにより、基地局２における各種機能を統括的に制御し得るとともに、基地局アンテナ５１及び信号処理部５２を介してラジオ付携帯電話機５との間でデータ通信し得るようになされている。
【００３７】
ここで基地局２の制御部５０は、当該基地局２のサービスエリア内にある全てのラジオ付携帯電話機５を位置登録して把握しており、ラジオ付携帯電話機５から位置情報取得要求を受信すると、これに応じて基地局２の所在位置を示す位置情報を、基地局アンテナ５１を介して当該ラジオ付携帯電話機５へ送信する。
【００３８】
そして制御部５０は、ラジオ付携帯電話機５から情報検索要求を受信すると、この情報検索要求をネットワークインタフェース５３を介して放送詳細情報提供サーバ３へ送信する。
【００３９】
（１−４）放送詳細情報提供サーバの構成
図５に示すように放送詳細情報提供サーバ３においては、図示しないＣＰＵ、ＲＯＭ及びＲＡＭ等からなるマイクロコンピュータ構成の制御部６０を有し、当該制御部６０がＲＯＭに予め格納している基本プログラム及びアプリケーションプログラムをＲＡＭにロードして立ち上げることにより、放送詳細情報提供サーバ３における各種機能を統括的に制御し得るとともに、ネットワークインターフェース６１を介してラジオ付携帯電話機５及びラジオ放送局４との間でデータ通信し得るようになされている。
【００４０】
ここで制御部６０は、各ラジオ放送局４によって放送されていた楽曲の曲名情報や当該楽曲が放送されていた時間帯をネットワークインターフェース６１を介して受信し、これを各ラジオ放送局４毎に順次放送詳細情報記憶部６２に記憶するようになされている。
【００４１】
この詳細情報記憶手段としての放送詳細情報記憶部６２には、ラジオ付携帯電話機５によって受信できるラジオ放送局４を地域毎に分類した地域別放送局テーブル（図示せず）と、各ラジオ放送局４毎の放送詳細テーブル（後述する）とが格納されている。
【００４２】
実際上、図６に示すように放送詳細テーブルＴ１００には、例えばラジオ放送局４のうち「ＭＨＫ総合放送局」が現在放送する楽曲や過去に放送した楽曲の曲名を示す曲名情報ＫＪ、当該楽曲の放送を開始した日時を示す開始日時情報ＳＪ及び当該楽曲の放送を終了した日時を示す終了日時情報ＥＪを対応付けて放送詳細情報ＨＪとして記憶している。
【００４３】
因みに制御部６０は、所定の記憶領域まで放送詳細情報ＳＪが記憶された場合、新たな放送詳細情報ＳＪを最も過去の放送詳細情報ＳＪと書き換えるようになされており、最も新しい放送詳細情報ＳＪを放送詳細情報記憶部６２に記憶し得るようになされている。
【００４４】
また楽曲データ記憶部６３には、それぞれの曲名情報ＫＪの楽曲について低レートでサンプリングされた低音質の試聴用楽曲データと高レートでサンプリングされた高音質の楽曲データとが記憶されている。
【００４５】
（１−５）放送詳細情報提供処理手順
次に放送詳細情報提供システム１における全体の放送詳細情報提供処理手順を図７のシーケンスチャートを用いて説明する。
【００４６】
ラジオ付携帯電話機５のＣＰＵ３０（図３）は、ルーチンＲＴ１の開始ステップから入ってステップＳＰ１へ移る。ステップＳＰ１においてラジオ付携帯電話機５のＣＰＵ３０は、ラジオ放送受信時、操作部１７のリクエストキーが押下されリクエスト命令が与えられると、次のステップＳＰ２へ移る。
【００４７】
ステップＳＰ２においてラジオ付携帯電話機５のＣＰＵ３０は、リクエストキーが押下された日時を日時情報としてＲＡＭ３５内に記憶するとともに、このとき受信中のラジオ放送局４の周波数を放送局情報としてＲＡＭ３５内に記憶し、次のステップＳＰ３へ移る。
【００４８】
ステップＳＰ３においてラジオ付携帯電話機５のＣＰＵ３０は、いずれかの基地局２との間で通信が確保されているか否かを判断する。
【００４９】
このステップＳＰ３で否定結果が得られると、このことは基地局２との間で通信が確保されていないことを表しており、ラジオ付携帯電話機５のＣＰＵ３０は、いずれかの基地局２との間で通信が確保されるまで待ち受ける。
【００５０】
これに対してステップＳＰ３で肯定結果が得られると、このことはいずれかの基地局２との間で通信が確保されていることを表しており、ラジオ付携帯電話機５のＣＰＵ３０は、次にステップＳＰ４へ移る。
【００５１】
ステップＳＰ４においてラジオ付携帯電話機５のＣＰＵ３０は、位置情報取得要求を基地局２へ送信する。
【００５２】
ステップＳＰ１０において基地局２の制御部５０は、ラジオ付携帯電話機５から位置情報取得要求を受信すると、当該基地局２の現在地を示す位置情報をラジオ付携帯電話機５へ送信する。
【００５３】
ステップＳＰ５においてラジオ付携帯電話機５のＣＰＵ３０は、基地局２から位置情報を受信すると、当該位置情報、時間情報及び放送局情報を編集し、これを情報検索要求として電子メール形式で放送詳細情報提供サーバ３へ送信する。
【００５４】
ステップＳＰ２０において放送詳細情報提供サーバ３の制御部６０（図５）は、ラジオ付携帯電話機５から情報検索要求を受信すると、当該情報検索要求の位置情報及び放送局情報を地域別放送局テーブルに照らし合わせることにより、ラジオ放送局４（例えば、「ＭＨＫ総合放送局」）を特定し、当該特定したラジオ放送局４の放送詳細テーブルＴ１００に基づいて、開始日時情報ＳＪと終了日時情報ＥＪとの間の時間帯と、日時情報とが該当している曲名情報ＫＪを検索し、該当する曲名情報ＫＪを電子メール形式でラジオ付携帯電話機５へ送信する。
【００５５】
ステップＳＰ６においてラジオ付携帯電話機５のＣＰＵ３０は、放送詳細情報提供サーバ３から受信した曲名情報ＫＪを液晶ディスプレイ１４に表示し、ステップＳＰ７へ移って処理を終了する。
【００５６】
かくして放送詳細情報提供システム１では、ラジオ放送受信時、ラジオ付携帯電話機５のリクエストキーを押下するだけで、当該押下した時点でラジオ放送局４から放送されている楽曲の曲名情報ＫＪをラジオ付携帯電話機５のユーザに対して提供することができる。
【００５７】
（１−６）楽曲データ取得処理手順
かかる構成に加えてラジオ付携帯電話機５においては、曲名情報ＫＪにより示される楽曲の楽曲データを放送詳細情報提供サーバ３からダウンロードし、試聴の後に購入し得るようになされている。
【００５８】
このようなラジオ付携帯電話機５における楽曲データ取得処理手順を図８のフローチャートを用いて説明する。
【００５９】
ラジオ付携帯電話機５はルーチンＲＴ２の開始ステップから入ってステップＳＰ３０に移り、ステップＳＰ３０においてラジオ付携帯電話機５のＣＰＵ３０（図３）は、放送詳細情報提供サーバ３から受信した曲名情報ＳＪを液晶ディスプレイ１４に表示し、次のステップＳＰ３１へ移る。
【００６０】
ステップＳＰ３１においてラジオ付携帯電話機５のＣＰＵ３０は、操作部１７の試聴用楽曲ダウンロードキーが押下され液晶ディスプレイ１４に表示されている楽曲についての楽曲試聴要求が与えられるまで待ち受ける。
【００６１】
ステップＳＰ３１で肯定結果が得られると、このことは楽曲試聴要求が与えられたことを表しており、ラジオ付携帯電話機５のＣＰＵ３０は次のステップＳＰ３２へ移る。
【００６２】
ステップＳＰ３２においてラジオ付携帯電話機５のＣＰＵ３０は、楽曲試聴要求を放送詳細情報提供サーバ３へ送信し、次のステップＳＰ３３へ移る。
【００６３】
これにより放送詳細情報提供サーバ３は、ラジオ付携帯電話機５から受信した楽曲試聴要求に応じて該当する低音質の試聴用楽曲データをラジオ付携帯電話機５へ送信する。
【００６４】
ステップＳＰ３３においてラジオ付携帯電話機５のＣＰＵ３０は、放送詳細情報提供サーバ３から曲名情報ＫＪの低音質の試聴用楽曲データを取得し、次のステップＳＰ３４へ移る。
【００６５】
ステップＳＰ３４においてラジオ付携帯電話機５のＣＰＵ３０は、ダウンロードした試聴用楽曲データに基づく楽曲をスピーカ１３又はイヤホン４０から出力し、次のステップＳＰ３５へ移る。
【００６６】
これによりラジオ付携帯電話機５では、試聴用楽曲ダウンロードキーを押下するだけで、検索結果である曲名情報ＫＪの楽曲を試聴することができ、ユーザの気に入る楽曲であるかの確認をさせることができる。
【００６７】
ステップＳＰ３５においてラジオ付携帯電話機５のＣＰＵ３０は、操作部１７の楽曲ダウンロードキー（図示せず）が押下され高音質の楽曲データを取得要求する楽曲取得要求が与えられたか否かを判断する。
【００６８】
ステップＳＰ３５で否定結果が得られると、このことはユーザが試聴用楽曲データを試聴した結果、当該楽曲の購入を中止したことを表しており、ラジオ付携帯電話機５のＣＰＵ３０は次のステップＳＰ３９へ移り、楽曲データ取得処理手順を終了する。
【００６９】
これに対してステップＳＰ３５において肯定結果が得られると、このことはユーザが試聴用楽曲データを試聴した結果、当該楽曲の購入を決定したことを表しており、ラジオ付携帯電話機５のＣＰＵ３０は次のステップＳＰ３６へ移る。
【００７０】
ステップＳＰ３６においてラジオ付携帯電話機５のＣＰＵ３０は、楽曲取得要求を放送詳細情報提供サーバ３へ送信し、次のステップＳＰ３７へ移る。
【００７１】
これにより放送詳細情報提供サーバ３は、ラジオ付携帯電話機５から受信した楽曲取得要求に応じて該当する高音質の楽曲データをラジオ付携帯電話機５へ送信する。
【００７２】
ステップＳＰ３７においてラジオ付携帯電話機５のＣＰＵ３０は、放送詳細情報提供サーバ３から高音質の楽曲データを取得し、次のステップＳＰ３８へ移る。
【００７３】
ステップＳＰ３８においてラジオ付携帯電話機５のＣＰＵ３０は、放送詳細情報提供サーバ３から高音質の楽曲データを取得したことにより発生した情報取得料としての代金について、ユーザが加入している電話会社との間で認証処理や課金処理等を行うことによって決済処理を実行し、次のステップＳＰ３９へ移り楽曲データ取得処理手順を終了する。
【００７４】
因みに放送詳細情報提供システム１においては、楽曲データをラジオ付携帯電話機５へ提供することによってユーザに対して１曲毎に発生する情報取得料をその都度電話会社の通話料として課金処理が行われるようになされており、ラジオ付携帯電話機５のユーザが即時に曲名情報ＫＪに基づいた楽曲データを放送詳細情報提供サーバ３から取得し得るようになされている。
【００７５】
（１−７）第１の実施の形態の動作及び効果
以上の構成において、図９に示すように放送詳細情報提供システム１では、ラジオ付携帯電話機５においてラジオ放送の受信中にリクエスト命令が与えられると、日時情報と放送局情報とを記憶するとともに、位置情報取得要求を基地局２へ送信し、これによりラジオ付携帯電話機５において当該基地局２から位置情報を取得する。
【００７６】
また放送詳細情報提供システム１では、ラジオ付携帯電話機５によって位置情報と日時情報と放送局情報とからなる情報検索要求を電子メール形式で放送詳細情報提供サーバ３へ送信することにより、当該放送詳細情報提供サーバ３において当該情報検索要求を地域別放送局テーブル及び放送詳細テーブＴ１００に照らし合わせることにより曲名情報ＫＪを特定し、これを放送詳細情報記憶部６２から読み出して電子メール形式でラジオ付携帯電話機５へ送信する。
【００７７】
これによりラジオ付携帯電話機５では、リクエストキーが押下されるだけで、受信中のラジオ放送局４が放送している楽曲の曲名情報ＫＪを取得することができ、ユーザが所望する楽曲の曲名情報ＫＪを即座に検索させることができる。
【００７８】
また、ラジオ付携帯電話機５においては、電子メール形式で情報検索要求を送信することにより、基地局２との間で通信が確保されず送信できない時には、一般の未送信の電子メールと同様にラジオ付携帯電話機５内に確実に保存することができ、送信可能な時に当該情報検索要求を送信すれば、その後リクエスト命令を与えた時点の楽曲の曲名情報ＫＪを取得することができ、ユーザが所望する楽曲の曲名情報ＫＪを検索できる。
【００７９】
以上の構成によれば、放送詳細情報提供システム１においては、各ラジオ放送局４が放送していた楽曲の曲名情報ＫＪ等を放送詳細情報提供サーバ３において記憶し、当該放送詳細情報提供サーバ３によってラジオ付携帯電話機５の情報検索要求を受信すると、これに応じた曲名情報ＫＪを提供することにより、ラジオ付携帯電話機５のリクエストキーを押下するだけで受信中のラジオ放送局４が放送している楽曲の曲名情報ＫＪを液晶ディスプレイ１４に表示させることができ、かくしてユーザが所望する楽曲の曲名情報ＫＪを簡易な操作によって即座に検索し得る放送詳細情報提供システム１を実現することができる。
【００８０】
（２）第２の実施の形態
（２−１）放送詳細情報提供システムの全体構成
図１との対応部分に同一符号を付して示す図１０において、１００は第２の実施の形態の放送詳細情報提供システムを示し、第１の実施の形態とは基地局１０１の構成が異なり、当該基地局１０１によってラジオ付携帯電話機５（図２）の位置情報、日時情報及び放送局情報とを編集した情報検索要求を放送詳細情報提供サーバ３へ送信するようになされている。
【００８１】
実際上、第１の実施の形態と同様のラジオ付携帯電話機５のＣＰＵ３０（図３）は、ラジオ放送受信時、ユーザによる詳細情報取得操作としてリクエストキーが押下されリクエスト命令が与えれると、このとき受信中のラジオ放送局の周波数を放送局情報としてＲＡＭ３５に記憶し、これを情報取得要求として電子メール形式で基地局１０１へ送信する。
【００８２】
（２−２）第２の実施の形態による基地局の構成
図１１に示すように基地局１０１においては、図示しないＣＰＵ、ＲＯＭ及びＲＡＭ等からなるマイクロコンピュータ構成の制御部１０２を有し、当該制御部１０２がＲＡＭに予め格納している基本プログラム及びアプリケーションプログラムをＲＡＭにロードして立ち上げることにより、基地局１０１における各種機能を統括的に制御し得るとともに、基地局アンテナ１０３及び信号処理部１０４を介して携帯電話機５との間でデータ通信し得るようになされている。
【００８３】
ここで基地局１０１の制御部１０２は、当該基地局１０１のサービスエリア内にある全てのラジオ付携帯電話機５を位置登録して把握しており、ラジオ付携帯電話機５から情報取得要求を受信すると、これに応じて基地局１０１の所在位置を示す位置情報と、当該情報取得要求を受信した日時を示す日時情報とを情報検索要求編集部１０５へ送出する。
【００８４】
また制御部１０２は、情報検索要求編集部１０５によって放送局情報、位置情報及び日時情報を編集し、これを情報検索要求としてネットワークインターフェース１０６を介して放送詳細情報提供サーバ３へ送信する
【００８５】
ここで放送詳細情報提供サーバ３においては、放送詳細情報記憶部６２（図５）に格納されている地域別放送局テーブル及び放送詳細テーブルに情報検索要求を照らし合わせることにより、該当する曲名情報ＫＪを特定し、これを基地局１０１へ送信する。
【００８６】
これにより制御部１０２は、第１の実施の形態と同様に情報検索要求に対応した曲名情報ＫＪを放送詳細情報提供サーバ３から受信する。
【００８７】
そして制御部１０２は、放送詳細情報提供サーバ３から受信した曲名情報ＫＪを電子メール形式でラジオ付携帯電話機５へ送信するようになされている。
【００８８】
（２−３）第２の実施の形態による放送詳細情報提供処理手順
次に第２の実施の形態による放送詳細情報提供システム１００の放送詳細情報提供処理手順を図１２のシーケンスチャートを用いて説明する。
【００８９】
ラジオ付携帯電話機５のＣＰＵ３０（図３）は、ルーチンＲＴ３の開始ステップから入ってステップＳＰ１００に移る。ステップＳＰ１００においてラジオ付携帯電話機５のＣＰＵ３０は、ラジオ放送受信時、操作部１７のリクエストキーが押下され詳細情報取得要求としてリクエスト命令が与えられると、次のステップＳＰ１０１へ移る。
【００９０】
ステップＳＰ１０１において携帯電話機５のＣＰＵ３０は、いずれかの基地局１０１との間で通信が確保されているか否かを判断する。
【００９１】
ステップＳＰ１０１で否定結果が得られると、このことは基地局１０１との間で通信が確保されていないことを表しており、ラジオ付携帯電話機５のＣＰＵ３０は、次のステップＳＰ１０２へ移る。
【００９２】
ステップＳＰ１０２においてラジオ付携帯電話機５のＣＰＵ３０は、基地局１０１との間で通信が確保される場所に移動するように促すため、例えば「電波が届かない場所です。電波が届く場所で再度リクエスト命令を行ってください」等のコメント文を液晶ディスプレイ１４に表示し、次のステップＳＰ１０５移って処理を終了する。
【００９３】
これに対してステップＳＰ１０１で肯定結果が得られると、このことはいずれかの基地局１０１との間で通信が確保されていることを表しており、ラジオ付携帯電話機５のＣＰＵ３０は次のステップＳＰ１０３へ移る。
【００９４】
ステップＳＰ１０３においてラジオ付携帯電話機５のＣＰＵ３０は、リクエスト命令が与えられた時点で受信中のラジオ放送局４の周波数を放送局情報としてＲＡＭ３５に一端記憶した後、これを情報取得要求として電子メール形式で基地局１０１へ送信する。
【００９５】
ステップＳＰ１１０において基地局１０１の制御部１０２（図１１）は、情報取得要求を受信すると、当該受信した日時を日時情報として制御部１０２内の図示しないＲＴＣ回路から取得し、次のステップＳＰ１１１へ移る。
【００９６】
ステップＳＰ１１１において基地局１０１の情報検索要求編集部１０５は、周波数情報としての放送局情報、当該基地局２の所在位置を示す位置情報及び日時情報からなる情報検索要求を編集し、これを放送詳細情報提供サーバ３へ送信する。
【００９７】
ステップＳＰ１２０において放送詳細情報提供サーバ３の制御部６０（図５）は、基地局１０１から情報検索要求を受信すると、当該情報検索要求の位置情報及び放送局情報を地域別放送局テーブルに照らし合わせることにより、ラジオ放送局４（例えば、「ＭＨＫ総合放送局」）を特定し、当該特定したラジオ放送局４の放送詳細テーブルＴ１００（図６）に基づいて開始日時情報ＳＪと終了日時情報ＥＪとの間の時間帯と、日時情報とが該当している曲名情報ＫＪを検索し、該当した曲名情報ＫＪを基地局１０１へ送信する。
【００９８】
ステップＳＰ１１２において基地局１０１の制御部１０２は、放送詳細情報提供サーバ３から曲名情報ＫＪを受信すると、当該曲名情報ＫＪをラジオ付携帯電話機５によって受信可能な電子メール形式で当該ラジオ付携帯電話機５へ送信する。
【００９９】
ステップＳＰ１０４においてラジオ付携帯電話機５のＣＰＵ３０は、基地局１０１から受信した曲名情報ＫＪを液晶ディスプレイ１４に表示し、次のステップＳＰ１０５へ移って処理を終了する。
【０１００】
因みに放送詳細情報提供システム１００においては、第１の実施の形態と同様に楽曲データ取得処理手順（図８）に従ってラジオ付携帯電話機５の液晶ディスプレイ１４に表示した曲名情報ＫＪの試聴用楽曲データ及び楽曲データを取得し得るようになされている。
【０１０１】
（２−４）第２の実施の形態の動作及び効果
以上の構成において、図１３に示すように放送詳細情報提供システム１００では、ラジオ付携帯電話機５においてラジオ放送の受信中にリクエスト命令が与えられると放送局情報を記憶し、これを情報取得要求として電子メール形式で基地局１０１へ送信する。
【０１０２】
また放送詳細情報提供システム１００では、基地局１０１において放送局情報、日時情報及び位置情報からなる情報検索要求を情報検索要求編集部１０５によって編集し、当該情報検索要求を放送詳細情報提供サーバ３へ送信することにより、放送詳細情報提供サーバ３によって放送詳細情報記憶部６２から読み出した当該情報検索要求に対応する曲名情報ＫＪを取得する。
【０１０３】
そして放送詳細情報提供システム１００では、基地局１０１において曲名情報ＫＪを電子メール形式でラジオ付携帯電話機５へ送信することにより、当該ラジオ付携帯電話機５において曲名情報ＫＪを取得することができ、ユーザがリクエストキーを押下するだけで受信中のラジオ放送局４が放送している楽曲の曲名情報ＫＪを即座に検索させることができる。
【０１０４】
また放送詳細情報提供システム１においては、基地局１０１の情報検索要求編集部１０５によって情報検索要求が編集されることにより、ラジオ付携帯電話機５によって情報検索要求を編集する必要がなく一段と簡易にユーザが所望する楽曲の曲名情報ＫＪを検索することができる。
【０１０５】
さらに放送詳細情報提供システム１においては、ラジオ付携帯電話機５にあるＲＴＣ回路を用いず基地局１０１のＲＴＣ回路を用いることにより、一段と正確な日時情報を得ることができる。
【０１０６】
またラジオ付携帯電話機５では、試聴用楽曲ダウンロードキーが押下されるだけで、検索結果である曲名情報ＫＪの楽曲の試聴用楽曲データを取得することができ、これによりユーザに対して検索結果である曲名情報ＫＪの楽曲について試聴を行わせることができる。
【０１０７】
さらにラジオ付携帯電話機５では、楽曲ダウンロードキーが押下されるだけで高音質の楽曲データをダウンロードすることができ、試聴した結果ユーザが気に入った楽曲のみを即座に取得させることができる。
【０１０８】
さらに加えてラジオ付携帯電話機５においては、位置情報を取得するためＧＰＳ受信機を外部接続したり、或いは上側筐体１１内部等にＧＰＳ受信機を内蔵する必要がなく、ラジオ付携帯電話機５自体を大型化することはなく、従来と同様の大きさを保ちながら位置情報に応じた、例えば一定地域専用放送局等その地域に応じた最適なラジオ放送局４を特定することができる。
【０１０９】
そしてラジオ付携帯電話機５においては、リクエストキーが押下されてリクエスト命令が与えられることにより、現在ユーザが聞いているラジオ放送局４の周波数を放送局情報として記憶することができ、ラジオ受信機が別にある場合に比べて確実にユーザが現在聞いているラジオ放送局４を特定することができ、かくして一段と簡易に、かつ確実にユーザが現在聞いている楽曲の曲名情報ＫＪを取得することができる。
【０１１０】
さらにラジオ付携帯電話機５では、電子メールの送信履歴により放送詳細情報提供サーバ３へ情報検索要求を送信したことを確実に確認することができる。
【０１１１】
さらに加えてラジオ付携帯電話機５においては、電子メール形式で放送詳細情報提供サーバ３から曲名情報ＫＪを取得することにより、ラジオ付携帯電話機５内において他の電子メールと同様に当該曲名情報ＫＪを容易に保存することができる。
【０１１２】
以上の構成によれば、放送詳細情報提供システム１００においては、例えばラジオ放送局４から放送されていた楽曲の曲名情報ＫＪ等を放送詳細情報提供サーバ３によって記憶し、ラジオ付携帯電話機５のリクエスト命令に応じて基地局１０１により編集された情報検索要求に基づいて曲名情報ＫＪを提供することにより、ラジオ付携帯電話機５のリクエストキーを押下するだけで、受信中のラジオ放送局４が放送している楽曲の曲名情報ＫＪを液晶ディスプレイ１４に表示させることができ、かくしてユーザが所望する楽曲の曲名情報ＫＪを簡易な操作によって即座に検索し得る放送詳細情報提供システム１００を実現することができる。
【０１１３】
（３）他の実施の形態
なお、上述の第１及び第２の実施の形態においては、詳細情報提供装置として、放送詳細情報提供側１Ａを適用する場合について述べたが、本発明はこれに限らず、基地局２又は１０１と放送詳細情報提供サーバ３とを一体化して構成したものや、放送詳細情報提供サーバ３等のようにこの他種々の詳細情報提供装置を適用するようにしても良い。
【０１１４】
また、上述の第１及び第２の実施の形態においては、詳細情報検索手段として、放送詳細情報提供サーバ３の制御部６０を適用する場合について述べたが、本発明はこれに限らず、この他種々の詳細情報検索手段を適用するようにしても良い。
【０１１５】
さらに、上述の第１及び第２の実施の形態においては、詳細情報として曲名情報ＫＪを提供する場合についてのべたが、本発明はこれに限らず、楽曲のアーティスト名やアルバム名、試聴用データとしての試聴用楽曲データ、曲名情報ＫＪの楽曲が放送された時間帯を表す開始日時情報ＳＪ及び終了日時情報ＥＪ等この他種々の詳細情報を提供するようにしても良い。
【０１１６】
なお、詳細情報として、曲名情報ＫＪの他に開始日時情報ＳＪ及び終了日時情報ＥＪを提供する場合、放送詳細情報提供システム１では、ラジオ付携帯電話機５の液晶ディスプレイ１４に、曲名情報ＫＪとその楽曲が放送された時間帯とを表示させることができ、これによりユーザに対してリクエストキーを押下した日時の記録と表示された時間帯とに基づいて、表示された曲名情報ＫＪが所望する楽曲の曲名情報ＫＪであるか確認させることができる。
【０１１７】
さらに、上述の第１及び第２の実施の形態においては、放送受信手段としてラジオ受信用アンテナ４３及びラジオ受信用通信回路４４を設けることにより、ラジオ放送を受信する場合について述べたが、本発明はこれに限らず、テレビジョン受信機を設けることにより、テレビジョン放送を受信するようにしても良い。この場合、テレビジョン放送局によって放送された楽曲の曲名情報やお店の情報（商品価格等の情報）、番組タイトル、番組出演者の名前、番組挿入歌等この他種々のコンテンツ詳細情報を提供することができる。
【０１１８】
さらに、上述の第１及び第２の実施の形態においては、放送詳細情報提供サーバ３から提供された曲名情報ＫＪに基づいて、試聴用楽曲データ及び楽曲データを無線接続されたラジオ付携帯電話機５にダウンロードする場合について述べたが、本発明はこれに限らず、放送詳細情報提供サーバ３から提供された曲名情報ＫＪに基づいて、試聴用楽曲データ及び楽曲データを有線接続されたパーソナルコンピュータ等ようなこの他種々の情報処理装置にダウンロードするようにしても良い。
【０１１９】
さらに、上述の第１及び第２の実施の形態においては、試聴用楽曲データ及び楽曲データを提供する場合について述べたが、本発明はこれに限らず、画像付きの試聴用楽曲データ及び画像付きの楽曲データを提供するようにしても良い。
【０１２０】
さらに、上述の第１及び第２の実施の形態においては、１曲毎に発生する情報取得料を、その都度電話会社の通話料として課金処理が行われる場合について述べたが、本発明はこれに限らず、一定料金を設定した情報取得料を、月額払い等一定期間毎電話会社の通話料として課金処理が行われるようにしても良い。
【０１２１】
さらに、上述の第１及び第２の実施の形態においては、携帯通信端末としてラジオ付携帯電話機５を適用するようにした場合について述べたが、本発明はこれに限らず、ラジオ受信機能を持たない通常の携帯電話機やＰＨＳ（Personal Handy-phone System)等この他種々のコンテンツ詳細情報受信装置を広く適用することができる。
【０１２２】
因みにこの場合、放送詳細情報提供サーバ３は、携帯電話機から受信する位置情報及び日時情報に基づいて、該当する日時に受信可能な全てのラジオ放送を一覧表示する一覧データを送信し、これにより携帯電話機において当該一覧データに基づく一覧表を液晶ディスプレイに表示させ、ユーザに対して所望の楽曲の曲名情報を検索させることができる。
【０１２３】
さらに、上述の第１の実施の形態においては、ラジオ付携帯電話機５のリクエストキーが押下された日時に基づいて日時情報を取得する場合について述べたが、本発明はこれに限らず、基地局２によって位置情報取得要求を受信した日時に基づいて日時情報を取得するようにしても良い。
【０１２４】
この場合、ラジオ付携帯電話機５においては、ラジオ付携帯電話機５に設けられたＲＴＣ回路を用いず基地局２のＲＴＣ回路を用いることにより、一段と正確な日時情報を得ることができる。
【０１２５】
さらに、上述の第２に実施の形態においては、リクエストキーが押下されると、放送局情報をＲＡＭ３５に記憶し、これを情報取得要求として基地局１０１へ送信する場合について述べたが、本発明はこれに限らず、リクエストキーが押下されると、当該リクエストキーが押下された日時を示す日時情報と放送局情報とをＲＡＭ３５に記憶し、これらを情報取得要求として基地局１０１へ送信するようにしても良い。
【０１２６】
この場合、ラジオ付携帯電話機５においては、リクエストキーを押下した時点に放送されている楽曲の曲名情報ＫＪを確実に取得することができ、ユーザが所望する楽曲の曲名情報ＫＪを検索できる。
【０１２７】
また、ラジオ付携帯電話機５においては、基地局１０１との間で通信が確保されていない時に、日時情報と放送局情報とをＲＡＭ３５に記憶し、基地局１０１との間で通信が確保された時に、当該日時情報と放送局情報とを情報取得要求として基地局１０１へ送信するようにしても良い。
【０１２８】
この場合、ラジオ付携帯電話機５においては、基地局１０１との間で通信が確保されず送信できない時でも、通信可能になった後、リクエストキーが押下された時点の楽曲の曲名情報ＫＪを確実に取得することができ、ユーザが所望する楽曲の曲名情報ＫＪを検索できる。
【０１２９】
さらに、上述の第２の実施の形態においては、取得要求受信手段として、基地局１０１の基地局アンテナ１０３と信号処理部１０４とを適用する場合について述べたが、本発明はこれに限らず、放送詳細情報提供サーバ３のネットワークインターフェース６１を適用するようにしても良い。
【０１３０】
さらに、上述の第２の実施の形態においては、詳細情報送信手段として、基地局１０１の基地局アンテナ１０３と信号処理部１０４とを適用する場合について述べたが、本発明はこれに限らず、放送詳細情報提供サーバ３のネットワークインターフェース６１を適用するようにしても良い。
【０１３１】
【発明の効果】
上述のように本願発明によれば、携帯通信端末は、詳細情報取得要求を送信できなかったとき、詳細情報取得操作が行われた日時を示す操作日時情報を記憶し、詳細情報取得要求が送信できるようになったとき、操作日時情報を詳細情報取得要求とともに送信し、詳細情報検索手段は、受信日時情報に代えて操作日時情報を用いて詳細情報を検索するようにしたことにより、通信が確保されず送信できないときでも、通信が可能になった後、詳細情報取得操作が行われた時点の操作日時情報を用いてコンテンツの詳細情報を確実に検索することができるので、操作日時情報を送信するだけで報取得操作が行われた時点のコンテンツの詳細情報を検索でき、かくして報取得操作が行われた時点のコンテンツの詳細情報を検索し得るコンテンツ詳細情報提供システムを実現できる。
また、本願発明によれば、取得要求受信手段が受信した詳細情報取得要求に操作日時情報が含まれているとき、詳細情報検索手段は、当該操作日時情報が示す時点で放送されていたコンテンツについての詳細情報を詳細情報記憶手段から検索するようにしたことにより、詳細情報取得操作が行われた時点の操作日時情報を用いてコンテンツの詳細情報を確実に検索することができるので、携帯端末から操作日時情報を受信するだけで操作日時情報が示す時点で放送されていたコンテンツについての詳細情報を検索でき、かくして報取得操作が行われた時点のコンテンツの詳細情報を検索し得る詳細情報提供装置を実現できる。
さらに、本願発明によれば、送信手段は、詳細情報取得操作を送信できなかったとき、詳細情報取得操作が行われた日時を示す操作日時情報を記憶し、詳細情報取得要求が送信できるようになったとき、操作日時情報を詳細情報取得要求とともに送信し、受信手段は、詳細情報提供装置から送信される、当該詳細情報提供装置が操作日時情報の示す時点で放送されていたコンテンツについての詳細情報を受信するようにしたことにより、通信が確保されず送信できないときでも、通信が可能になった後、詳細情報取得操作が行われた時点の操作日時情報を送信することによって、操作日時情報を送信するだけで操作日時情報が示す時点で放送されていたコンテンツについての詳細情報を受信することができるので、操作日時情報を送信するだけで報取得操作が行われた時点のコンテンツの詳細情報を受信でき、かくして報取得操作が行われた時点のコンテンツの詳細情報を受信し得る携帯通信端末を実現できる。
【図面の簡単な説明】
【図１】第１の実施の形態における放送詳細情報提供システムの全体構成を示す略線図である。
【図２】ラジオ付携帯電話機の外観構成を示す略線的斜視図である。
【図３】ラジオ付携帯電話機の回路構成を示すブロック図である。
【図４】第１の実施の形態における基地局の回路構成を示すブロック図である。
【図５】放送詳細情報提供サーバの回路構成を示すブロック図である。
【図６】放送詳細情報記憶部に記憶された放送詳細テーブルの構成を示す略線図である。
【図７】第１の実施の形態による放送詳細情報提供処理手順を示すシーケンスチャートである。
【図８】ラジオ付携帯電話機における楽曲データ取得処理手順を示すフローチャートである。
【図９】位置情報取得要求から曲名情報取得までの様子の説明に供する略線図である。
【図１０】第２の実施の形態における放送詳細情報提供システムの全体構成を示す略線図である。
【図１１】第２の実施の形態における基地局の回路構成を示すブロック図である。
【図１２】第２の実施の形態による放送詳細情報提供処理手順を示すシーケンスチャートである。
【図１３】情報取得要求から曲名情報取得までの様子の説明に供する略線図である。
【符号の説明】
１、１００……放送詳細情報提供システム、２、１０１……基地局、３……放送詳細情報提供サーバ、４……ラジオ放送局、５……ラジオ付携帯電話機、６……ネットワーク、４３……ラジオ受信用アンテナ、４４……ラジオ受信用通信回路、５０、６０、１０２……制御部、６２……放送詳細情報記憶部、１０５……情報検索要求編集部
【図１】
0004171962.tif 000002
【図２】
0004171962.tif 000003
【図３】
0004171962.tif 000004
【図４】
0004171962.tif 000005
【図５】
0004171962.tif 000006
【図６】
0004171962.tif 000007
【図７】
0004171962.tif 000008
【図８】
0004171962.tif 000009
【図９】
0004171962.tif 000010
【図１０】
0004171962.tif 000011
【図１１】
0004171962.tif 000012
【図１２】
0004171962.tif 000013
【図１３】
0004171962.tif 000014